(57)【要約】【課題】場所をとらず安全な状態で容易に乾かすことができる足拭き用マットを提供する。【解決手段】本考案のバスマット１００は、表面に足拭き用の面を有し、裏面３においてこのバスマット１００を洗濯機の壁面に吸着させて固定するための磁石４を備える。【選択図】図１
0003174778.tif 000002
【実用新案登録請求の範囲】
【請求項１】
表面に足拭き用の面を有する足拭き用マットであって、
裏面において、当該足拭き用マットを壁面に吸着させて固定するための吸着部を備える足拭き用マット。
【請求項２】
前記吸着部は、強磁性体により構成された壁面に吸着させて固定するための磁石であって、前記裏面における、当該足拭き用マットの中心よりも一方の端部側にずれた位置に備えられている請求項１に記載の足拭き用マット。
【請求項３】
前記磁石は、前記裏面において着脱自在に設けられている請求項２に記載の足拭き用マット。
【請求項４】
前記吸着部は吸着加工が施されたアクリル樹脂である請求項１に記載の足拭き用マット。
【考案の詳細な説明】
【技術分野】
【０００１】
本考案は、足を拭くために床に敷設される足拭き用マットに関する。より詳しくは、本考案は、安全な状態で容易に乾かすことができる足拭き用マットに関する。
【背景技術】
【０００２】
従来、濡れた足をふくために浴室脱衣所等の床に置く厚手の敷物（足拭き用マット）としてバスマットが利用されている。バスマットは、浴室脱衣場の外観を損なわないことが主な目的となり、家具やインテリア用品等と同様に、その色、柄、高級感を遡求したものが中心となって製造されている。
【０００３】
また、上述のように外観において工夫を施す一方で、バスマットの利用を向上させるような工夫がなされているものも提案されている。
【０００４】
例えば、バスマットを床から取り上げたり、干したりする作業を容易に行なうことができるようにするために、バスマットの厚み方向に貫通孔を形成したものが提案されている（例えば、特許文献１）。特許文献１に開示されたバスマット（足拭き用マット）は、貫通孔に指を差し込み、指先でめくり上げて床から剥がすことができるとともに、洗濯後や使用後には貫通孔にフックを引っ掛けて干すことができる。
【先行技術文献】
【特許文献】
【０００５】
【特許文献１】実用新案登録第３１０２８８０号公報
【考案の概要】
【考案が解決しようとする課題】
【０００６】
ところで、一般的にはバスマットは複数人で共用されるものであり、各人が使用するたびに取替えるといった態様で使用されるものではない。したがって、使用後のバスマットは、通常、浴室脱衣場の床にそのまま放置されるか、或いは、浴室脱衣場内に備えられたハンガーまたはバーなどにかけて整理される。
【０００７】
使用後のバスマットをそのまま放置する場合、浴室脱衣場を行き来する人が濡れた状態のバスマットを踏んでしまい不快な思いをするとともに衛生面でも問題がある。また、バスマットを浴室脱衣場内に備えられたハンガーもしくはバーにかけて乾かしながら整理する場合は、ハンガーもしくはバーを設置するための場所を確保する必要がある。また、濡れたバスマットをハンガーにかけて固定する作業は煩わしく、使用者に負担をかけることとなる。
【０００８】
また特許文献１に開示された従来のバスマットのように、貫通孔にフックを引っ掛けて整理する態様では、このフックが壁等から突起した状態で設けられるため、突起したフックで怪我をする可能性があり安全面で問題がある。
【０００９】
本考案は、以上の問題を鑑みてなされたものであり、場所をとらず安全な状態で容易に乾かすことができる足拭き用マットを提供することを目的とする。
【課題を解決するための手段】
【００１０】
本考案に係る足拭き用マットは、上記した課題を解決するために、表面に足拭き用の面を有する足拭き用マットであって、裏面において、当該足拭き用マットを壁面に吸着させて固定するための吸着部を備える。
【００１１】
上記した構成によると、当該足拭き用マットの裏面において吸着部を備えるため、この足拭き用マットの表面を外側にして壁面に容易に固定することができる。このように足拭き用マットの表面を外側となるように壁面に固定することができるため、水分を含んだ表面を乾燥させることができる。
【００１２】
また、吸着部によって足拭き用マットを壁面に吸着させるため、例えば、フックなどの突起部に引っ掛ける構成と比べて安全な状態でこの足拭き用マットの整理を行なうことができる。さらに、足拭き用マットを乾燥させた状態で整理するにあたり、既存の壁面に吸着させればよいため、例えばハンガーやバーなどを設ける必要がなく場所をとらない。
【００１３】
よって、本考案に係る足拭き用マットは、場所をとらず安全な状態で容易に乾かすことができるという効果を奏する。
【００１４】
また、本考案に係る足拭き用マットは、上記した構成において、前記吸着部は、強磁性体により構成された壁面に吸着させて固定するための磁石であって、前記裏面における、当該足拭き用マットの中心よりも一方の端部側にずれた位置に備えられていてもよい。
【００１５】
上記した構成によると、前記壁面が強磁性体により構成されており、吸着部が磁石であるため、磁力により足拭き用マットを容易に壁面に固定させることができる。
【００１６】
また、磁石である吸着部が足拭き用マットの中心よりも一方の端部側にずれた位置に備えられている。したがって、壁面への吸着時に、中心位置までの距離よりも近接した位置に吸着部が備えられている側の端部が上方となるように足拭き用マットを配置することで、足拭き用マットの上方部分が折れ曲がって垂れ下がってくることを防止することができる。
【００１７】
また、裏面全体ではなく所定に範囲にのみに磁石が備えられるため、壁面に吸着させている当該足拭き用マットを取り外す際、裏面全体に磁石が備えられている構成よりも容易に取り外すことができる。
【００１８】
また、本考案に係る足拭き用マットは、上記した構成において、前記磁石は、前記裏面において着脱自在に設けられていてもよい。
【００１９】
上記した構成によると、吸着部である磁石が裏面から着脱自在であるため、足拭き用マットを洗濯する場合、磁石を取り外した状態で行なうことができる。このため、磁石によって他の洗濯ものが痛んだり、洗濯槽を痛めたりすることを防ぐことができる。
【００２０】
また、本考案に係る足拭き用マットは、上記した構成において、前記吸着部は吸着加工が施されたアクリル樹脂であってもよい。
【００２１】
ここで吸着加工が施されたアクリル樹脂とは、吸着加工として無数の微細な気孔が形成されたアクリル樹脂であり、壁面に向かって足拭きマットの上から圧力がかかると気孔から空気が抜け真空状態となり該壁面に吸着することができるものである。
【００２２】
このため、壁面において強磁性体からなる面が無い場合であっても、壁面の平滑な部分に足拭き用マットを固定させることができる。
【考案の効果】
【００２３】
本考案は、以上に説明した構成を有し、場所をとらず安全な状態で容易に乾かすことができるという効果を奏する。
【図面の簡単な説明】
【００２４】
【図１】本考案の実施形態に係るバスマットの裏面の一例について模式的に示す図である。
【図２】本考案の実施形態に係るバスマットの表面の一例について模式的に示す図である。
【図３】図１に示すバスマットの表面に描画されるキャラクターの一例を示す図である。
【図４】本考案の実施形態に係るバスマットの使用方法の流れの一例を示す図である。
【図５】本考案の実施形態に係るバスマットの裏面の一例を模式的に示す図である。
【図６】本考案の実施形態に係るバスマットの裏面の一例を模式的に示す図である。
【図７】本考案の実施形態に係るバスマットの裏面の一例を模式的に示す図である。
【考案を実施するための形態】
【００２５】
以下、本考案の実施の形態を、具体的に、図面を参照しながら説明する。なお、全ての図面において、同一又は相当部分には同一符号を付し、重複する説明は省略する。また、全ての図面において、本考案を説明するために必要となる構成要素のみを抜粋して図示しており、その他の構成要素については図示を省略している。
【００２６】
（バスマットの構成）
図１〜３を参照して、以下に本考案の実施形態に係るバスマット（足拭き用マット）１００の構成について説明する。図１は、本考案の実施形態に係るバスマット１００の裏面３の一例について模式的に示す図である。図２は、本考案の実施形態に係るバスマット１００の表面２の一例について模式的に示す図である。図３は、図１に示すバスマット１００の表面２に描画されるキャラクターの一例を示す図である。
【００２７】
本実施の形態に係るバスマット１００は、使用時において、濡れた足を拭くために浴室脱衣所等の床に置く厚手の敷物である。なお、本実施形態ではバスマット１００において、使用時に足を拭く用途に利用される側の面を表面２とし、床等と接する側の面を裏面３とする。
【００２８】
ところで、近年では、お風呂の残り湯を洗濯に有効活用するため、浴室脱衣所内には洗濯機１０が設置されている家庭が増えている。そこで、詳細は後述するが、本実施形態では、使用時以外は、バスマット１００をこの洗濯機１０の鉄製の壁面に貼着し、整理することができるように構成されている。
【００２９】
図２に示すように、バスマット１００では、その本体を形成する基部１の外観形状は、表面２に描画するキャラクターの顔の輪郭に応じた形状となっている。そして、本実施形態では基部１の寸法は、縦が約５０ｃｍ、横が約５０ｃｍとなっている。しかしながら、バスマット１００の基部１の寸法は、これに限定されるものではない。基部１の寸法はバスマット１００を使用するにあたり、足を充分に置くスペースがあり、かつバスマット１００を配置する床面の広さ、移動や洗濯など取り扱い易さ等を考慮して決められる。
【００３０】
基部１の表面２はパイルが植設されてなる起毛状のパイル地となっており、このパイル地にはキャラクターの図が描画されている。パイルは、ポリエステルを主とする８マイクロメートル以下の細さに加工した超極細の化学繊維である、いわゆるマイクロファイバーで形成されている。なお、基部１の構成はこれに限定されるものではなく、不識布にキャラクターの図を描画（プリント）されたものであってもよい。また、パイルは、ポリエステルを主とするマイクロファイバーにより形成されるものに限定されるものではなく、アクリル、ポリエステル、綿等から形成されていてもよい。
【００３１】
図２の例では、キャラクターの図としてパンダの顔が描画されているが、これに限定されるものではなく、例えば図３に示すように、ネコ、ウサギ、イヌ、クマ、トラなどであってもよい。キャラクターは、顔の輪郭において上方に突出するように耳がついているような動物が好ましい。
【００３２】
一方、基部１の裏面３は、図１に示すように全体として滑り止め加工が施されている。滑り止め加工としては、例えば、ゴム等の摩擦抵抗が大きい材質を基部１の裏面３に配設することで実現できる。
【００３３】
また、裏面３において、キャラクターの耳の部分、すなわち基部１における突出部５に対応する２箇所には、磁石（吸着部）４がそれぞれ取り付けられている。そして、この磁石４の有する磁力により洗濯機１０の壁面のように鉄などの強磁性体からなる壁面にバスマット１００を貼着して固定することができる。
【００３４】
なお、裏面３において磁石４が取り付けられる位置は、キャラクターの耳の部分（突出部５）に対応する位置に限定されるものではない。例えば、裏面の全面であってもよいし、任意の場所であてもよい。しかしながら、磁石４が取り付けられる位置は、基部１の中心よりも一方の端部側にずれた位置であることが好ましい。特には、一方の端部近傍位置に磁石４が固着されていることが好適である。また、基部１における一方の端部とは、表面２に描画されるキャラクターの上方側（キャラクターの頭部側）であることが好ましい。これらのことを考慮すると、本実施形態に係るバスマット１００の形状では、キャラクターの上方側の端部近傍位置に該当する突出部５に磁石４が取り付けられることが最も好適となる。
【００３５】
ここで、基部１の中心よりも一方の端部側にずれた位置、特には、一方の端部近傍位置に磁石４が固着されていることが好適である理由、この端部が、表面２に描画されるキャラクターの上方側の端部であることが好ましい理由を説明する。
【００３６】
すなわち、基部１の中心位置に磁石４を設け、バスマット１００をこの磁石４の磁力によって洗濯機１０の壁面等に貼着する場合、貼着状態においてバスマット１００の上方側の端部が重力により垂れ下がってしまう。しかしながら、本実施形態に係るバスマット１００のように、基部１の中心よりも一方の端部側にずれた位置、特に、一方の端部近傍に磁石４が設けられている場合は、バスマット１００の上方側の端部が垂れ下がってしまうことを防ぐことができる。さらにまた、磁石４を取り付ける位置が、キャラクターの上方側（頭部側）である場合、キャラクターの顔が正しい上下位置となるようにバスマット１００を洗濯機１０の壁面に貼着することができ、浴室脱衣場の外観を損なわない。また、バスマット１００の裏面全体に磁石４が設けられている構成と比較して、基部１の中心よりも一方の端部側にずれた位置、特には、一方の端部近傍位置に磁石４が固着されている構成の方が、壁面に貼着されたバスマットの取り外しを容易とする点でも有利である。
【００３７】
したがって、基部１の中心よりも一方の端部側にずれた位置、特には、一方の端部近傍位置に磁石４が固着されていることが好適であるとともに、この端部が、表面２に描画されるキャラクターの上方側であることが好ましい。
【００３８】
なお、バスマット１００に取り付ける磁石４は、例えば、フェライト磁石またはネオジウム磁石などの永久磁石であってもよい。あるいは、フェライト磁石粉末を合成ゴムと混合して成形したフェライトラバーマグネット、またはネオジム磁石の粉末を混ぜたネオジムラバーマグネット等のラバーマグネット（ゴム磁石）であってもよい。さらには、水気を含むバスマット１００を洗濯機１０の壁面から落ちることなく貼り付けるだけの磁力があれば他の永久磁石またはラバーマグネットであってもよい。
【００３９】
また、バスマット１００の使用時において磁石４の取り付け部分が他の面よりも隆起してしまわないように、磁石４の厚みは、基部１の厚み以下となるように設定されている。
【００４０】
（バスマットの使用例）
本実施の形態に係るバスマット１００は、図４に示すように、使用することができる。図４は、本考案の実施形態に係るバスマット１００の使用方法の流れの一例を示す図である。
【００４１】
まず、浴室脱衣所に配置されたバスマット１００に使用者が乗り込み、濡れた足を拭く。足を拭き終わると、使用者は、バスマット１００の基部１から突出した突出部５（耳の部分）を持って、バスマット１００の表面２が外に曝されるように、浴室脱衣所内に設置されている洗濯機１０の壁面における鉄製部分に貼着する。
【００４２】
このように、バスマット１００をそのまま持ち上げて洗濯機１０に貼着するだけで容易に整理できる。また、バスマット１００を広げた状態で洗濯機１０に貼着することができるため、洗濯機１０に貼設している間に濡れたバスマット１００の乾燥を行なうことができる。
【００４３】
また、バスマット１００の洗濯機１０への貼着は、上述したように裏面３に配設された磁石４の磁力によって行なわれている。すなわち、突起したフックやハンガーにバスマット１００を引っ掛けて整理する場合のように、突起物が設けられることなくバスマット１００を片付けることができる。このように、バスマット１００は、突起物が設けられることがないため、突起物に当たったり、該突起物で目を付いたりするようなことがなく安全に利用できる。
【００４４】
なお、上記したバスマット１００の使用例では、洗濯機１０の鉄など強磁性体からなる壁面に該バスマット１００を貼着したが、貼着する場所は、洗濯機１０に限定されるものではない。例えば、浴室脱衣所内の壁面の一部が鉄製の壁面となっている場合、該壁面にバスマット１００を貼着して利用してもよい。
【００４５】
また、本実施の形態に係るバスマット１００は、洗濯機１０の鉄など強磁性体からなる壁面に貼着され固定される構成であった。しかしながら、洗濯機１０の壁面または浴室脱衣所内の壁面の所定位置に別途磁石を設け、該磁石にバスマット１００の有する磁石４を吸着させ、該壁面にバスマット１００を固定させる構成であってもよい。
【００４６】
また、図２に示すように、バスマット１００では、基部１の外観形状は、表面２に描画するキャラクターの顔の輪郭に応じた形状となっていた。しかしながら、基部１の形状はこれに限定されるものではなく、例えば、図５に示すように矩形形状であって、その裏面３ではバスマット１００の基部１の中心位置より一方の端部側にずれた位置（端部近傍）に磁石４が設けられた構成としてもよい。あるいは、図６に示すように楕円形状であって、その裏面３ではバスマット１００の基部１の中心位置よりも一方の端部側にずれた位置（端部近傍）に磁石４が設けられた構成としてもよい。図５および図６は、本考案の実施形態に係るバスマット１００の裏面の一例を模式的に示す図である。
【００４７】
また、バスマット１００の裏面３に配される磁石４は、該裏面３に固着されていたがこれに限定されるものではなく、バスマット１００の基部１に対して着脱自在となっていてもよい。着脱自在となっている場合、バスマット１００の洗濯時に磁石４を取り外しておくことができ、この磁石４により他の洗濯物を傷めたり、洗濯機の洗濯槽を痛めたりすることを防ぐことができる。
【００４８】
また、バスマット１００の基部１の裏面３において磁石４の代わりに、図７に示すように吸着加工されたアクリル樹脂（吸着部）６を塗布した構成としてもよい。図７は、本考案の実施形態に係るバスマット１００の裏面の一例を模式的に示す図である。
【００４９】
この裏面３に塗布されるアクリル樹脂６には無数の微細な気孔が形成されており、壁面に向かってバスマット１００の上から圧力がかかると気孔から空気が抜け真空状態となり該壁面に吸着することができる。
【００５０】
図７に示す例では、アクリル樹脂６は、少なくともバスマット１００において中心よりも一方の端部側の所定範囲、特には端部近傍の所定範囲にわたって塗布されている。しかしながらアクリル樹脂６が塗布される範囲は、これに限定されるものではなく、例えば、バスマット１００の裏面３全体であってもよい。アクリル樹脂６の有する吸着力により、このアクリル樹脂６が塗布される範囲は適切に決められる。
【００５１】
このように、裏面３において吸着加工されたアクリル樹脂６が塗布される構成の場合、浴室脱衣所内において鉄製の壁面が無い場合であっても、タイル面などの平滑な壁面に吸着させて整理するとともに、水分を含む表面２を乾燥させることができる。また、壁面にバスマット１００を吸着させるにあたり特にフックやハンガーなどを設ける必要がないため、突出したフックやハンガーにより怪我するといった危険がない。
【００５２】
また、本実施形態では、足拭き用マットとしてバスマット１００を例に挙げて説明したが、これに限定されるものではない。例えば、バスマット１００と同様に水周りで利用される、例えば、キッチンの床面に敷いて利用する、いわゆるキッチンマットであってもよい。また、玄関、ロビー等に敷設するいわゆる玄関マット、フロアーマットなど、小型で任意の場所に随時、敷設される敷物(マット)であってもよい。
【００５３】
上記説明から、当業者にとっては、本考案の多くの改良や他の実施形態がなされ得ることは明らかである。つまり、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００５４】
本考案のバスマット１００は、容易に整理でき、またバスマット１００の整理状態において外観を損なう事無く、また突起物が無く安全性が高いため、一般家庭で利用するバスマットに有用である。
【符号の説明】
【００５５】
１    基部
２    表面
３    裏面
４    磁石
５    突出部
６    アクリル樹脂
１０  洗濯機
１００  バスマット
【図１】
0003174778.tif 000003
【図２】
0003174778.tif 000004
【図４】
0003174778.tif 000005
【図５】
0003174778.tif 000006
【図６】
0003174778.tif 000007
【図７】
0003174778.tif 000008
【図３】
0003174778.tif 000009